(57)【要約】【課題】    工場または建築現場等において周囲の作業者に注意を喚起する情報を状況に応じて提供できるようにしたヘルメットを提供すること。【解決手段】    ヘルメット主体１に表示ボード２を設け、バッテリー及び情報内容を記憶ならびに再生する制御機構を備えたバッテリー制御箱５に設ける。バッテリー制御箱５に電源スイッチ６と情報内容の切換装置７設け、表示ボード２とバッテリー制御箱５は制御ケーブル８により接続する。バッテリー制御箱５内の制御機構に記憶させた情報を選択して表示ボード２に表示する。表示ボード２に表示する情報は文字または映像である。【選択図】    図１
0003107365.tif 000002
【実用新案登録請求の範囲】
【請求項１】
ヘルメット主体（１）に表示ボード（２）を設け、バッテリーならびに情報内容を記憶及び再生する制御機構を備えたバッテリー制御箱（５）に設け、上記表示ボードと上記バッテリー制御箱を制御ケーブル（８）により接続し、上記バッテリー制御箱に設けた情報内容の切換装置（７）を操作して上記制御機構に記憶させた情報を選択して当該表示ボードに所望する情報を表示することを特徴とする表示ボード装置付きヘルメット。
【請求項２】
バッテリー及び制御機構がヘルメット主体に内蔵されていることを特徴とする請求項１に記載の表示ボード装置付きヘルメット。
【考案の詳細な説明】
【技術分野】
【０００１】
本考案は、表示ボード装置付きヘルメットに関するものであり、さらに詳しくは、人工災害の発生を防止する情報提供、自然災害時における現場の情報提供、道路工事の交通指導員の情報提供、各種イベントのＰＲ情報提供等に最適なヘルメットに関している。
【背景技術】
【０００２】
工場または建築現場等では、飛来物落下の際に自己の頭部を保護するためにヘルメットの着用が義務付けられている。また、自然災害現場におけるレポータの情報提供ならびに道路工事の交通指導員などもヘルメットを着用している。通常、ヘルメットは、専ら着用者自身の安全を確保するために使用されているが、従来技術中には、着用者以外の者に自己の存在を認識させるためのヘルメットが提案されている。
【０００３】
特許文献１に記載のヘルメットは、ヘルメットの正面にスピーカー４を設け、ヘルメットに設けたマイクにより拡声ができるようにしたものであって、工事現場や災害現場などでの使用に都合がよく、また、特許文献２に記載のヘルメットは、ヘルメットの頂部に光を点滅する表示灯３を設けたものであって、夜間の路上作業者が遠くから迅速に確認できるようにした利点があり、さらに、特許文献３に記載のヘルメットは、ヘルメットに身分証明書または入場許可書を保持するカードホルダー２を設けたものであって、ヘルメットを着用したまま証明書類を提示できるようにした利点がある。
【０００４】
特許文献１，２に記載のヘルメットは、拡声された音声や光の点滅によって情報を提供しているが、例えば、工場や建築現場では、拡声された音声や点滅する光が情報提供の手段として適しているとは限らず、むしろ、これらの情報が作業の妨げになることも考えられる。一方、特許文献３に記載のヘルメットは、情報内容をカードに表示するものであって、ヘルメットを着用したまま証明書類を提示できるようにした利点がある、提供する情報が異なるたびにカードを変更しなくてはならないので、提供する情報を変更するのに手数がかかる等の問題があった。
【０００５】
【特許文献１】登録実用新案第３０１０４２８号公報
【特許文献２】登録実用新案第３０３９６４３号公報
【特許文献３】登録実用新案第３０４１１０６号公報
【考案の開示】
【考案が解決しようとする課題】
【０００６】
本考案の課題は、人工災害の発生を防止する情報または自然災害時における現場の情報を提供できるようにしたヘルメットを提供することである。ここで、人工災害とは、建築現場、機械工場などヘルメットの着用が義務付けられている業務で発生する災害のことであり、また、自然災害とは、台風、地震などの災害のことである。
【課題を解決するための手段】
【０００７】
解決手段の第１は、ヘルメット主体に表示ボードを設け、バッテリー及び情報内容を記憶及び再生する機能を備えた制御機構をバッテリー制御箱に設け、上記表示ボードと上記バッテリー制御箱を制御ケーブルにより接続し、上記バッテリー制御箱に設けた情報内容の切換装置を操作して上記制御機構に記憶させた情報を選択して当該表示ボードに所望する情報を表示することを特徴とするものである。
解決手段の第２は、解決手段の第１において、バッテリー及び制御機構がヘルメット主体に内蔵されていることを特徴とするものである。
【考案の効果】
【０００８】
本考案は、ヘルメット主体に表示ボードを設け、該表示ボードに各種の情報を表示するものであって、情報は文字または映像のみであるから、工場または建築現場、自然災害の現場レポート、道路工事の交通指導員、各種イベントのＰＲ情報等、さまざまな分野で使用する際に、ヘルメット着用者の頭部を保護することは勿論であるが、ヘルメット着用者が情報提供の発信源となり周囲の人々に対し必要な情報を提供できるものである。
【考案を実施するための最良の形態】
【０００９】
図は、いずれも本考案に係るヘルメットを示す斜視図であり、ヘルメット主体の正面に表示ボード装置を設けたものであって、図１に示すヘルメットは、バッテリー及び情報提供のための制御機構をヘルメット主体と別体に設けたものであり、また、図２に示すヘルメットは、バッテリー及び制御機構をヘルメット主体に内蔵したものである。
【００１０】
図１に示すヘルメットは、ヘルメット主体１の正面に表示ボード２を設け、バッテリー並びに情報内容を記憶・再生する制御機構を備えたバッテリー制御箱５を上記ヘルメット主体１と別体に設けたものである。図中、６は電源スイッチ、７は表示ボード２に表示する情報内容を切換えるための切換装置、８は表示ボード２とバッテリー制御箱５を接続する制御ケーブルを示している。また、上記のバッテリー制御箱５にフック用具１０を設けた場合は、当該バッテリー制御箱５をズボンのベルト１１に装着して携帯することができるものである。
【００１１】
また、図２に示すヘルメットは、ヘルメット主体２１の正面に表示ボード２２が設けられているが、バッテリー２３及び制御機構２４がヘルメット主体２１に内蔵されたものである。なお、電源スイッチ２６及び情報内容の切換装置２７はヘルメット主体２１に設けられている。
【００１２】
本考案は上記の構成であって、制御機構４，２４は表示ボード２，２２に表示する情報内容を記憶及び再生する機能を備えたものであり、当該表示ボード２，２２に表示する情報は文字または映像である。ヘルメットを使用する時は、ヘルメット主体１，２１を頭部に装着して電源スイッチ６，２６を入れ、切換装置７，２７によって所望の情報を選択して当該情報を表示ボード２，２２に表示する。
【００１３】
本考案のヘルメットは、ヘルメット着用者の頭部を保護すると同時に、周囲の人々対し注意を喚起する情報を提供できるものであり、実施形態において、表示ボード２，２２に表示する情報が、工場または建築現場等においてヘルメットの着用が義務付けられている業務では、例えば、「安全第一」「頭上注意」「ゼロ災運動」「作業中徐行」などの文字である。また、自然災害の情報提供において、現地レポータが着用する場合は、例えば、「風速２０ｍ」「気温３７℃」「波浪警報」などの文字である。
【００１４】
表示ボード２，２２に表示する情報が、上記の場合は文字であるが、提供する情報は、文章、例えば、「…“秋の交通安全週間実施中”…」「…“只今の気温３７℃，最大瞬間風速２０ｍ”…」等とすることができるものであり、また、これらの文章は所謂スクロール様に表示することができる。
【００１５】
本考案は、ヘルメットの正面に文字または映像による情報を提供するものであるから、各種イベントのＰＲ、工場または建築現場、自然災害時の現地レポータによる情報提供など、人が大勢集まる場所において、表示ボード２，２２の情報を目視確認するだけで情報の提供が受けられるものであり、音声または光によって注意力が乱されたりすることがないものとなる。
【図面の簡単な説明】
【００１６】
【図１】本考案に係る表示ボード装置付きヘルメットを示す全体の斜視図。
【図２】他の実施例による表示ボード装置付きヘルメットを示す全体の斜視図。
【符号の説明】
【００１７】
１  ヘルメット主体
２  表示ボード
５  バッテリー制御箱
６  電源スイッチ
７  切換装置
８  制御ケーブル
１０  フック用具
１１  ベルト
２１  ヘルメット主体
２２  表示ボード
２３  バッテリー
２４  制御機構
２６  電源スイッチ
２７  切換装置
【図１】
0003107365.tif 000003
【図２】
0003107365.tif 000004